(57)【要約】      （修正有）【課題】オプション品をしっかりと装着でき、時効性があり、迅速な着脱交換が可能な、銃器のオプション品取り付け装置の提供。【解決手段】微調節装置、位置決め棒、嵌合体、ロック装置、弾性圧力片、固定栓から構成される取り付け装置を含み、該取り付け装置上に該位置決め棒を設置し、該位置決め棒に貫通孔を設け、その周辺に戦術的オプション装備を取り付けるネジ孔を形成し、該貫通孔に接続棒を穿置して該ロック装置と該弾性圧力片を連結し、該取り付け装置を銃身の照準スコープ座体に嵌設して装着し、該接続棒の前端に微調節装置を螺合するネジを設け、該微調節装置で取り付け装置を調節し、銃身の照準スコープ座体との間のきつさを調節でき、後端には固定孔を形成し、該固定孔に固定栓を穿置して該ロック装置と該弾性圧力片を固定し、該弾性圧力片を内方向へ押すと、使用者の必要に応じ方向を変えることができる。【選択図】図２
0003111868.tif 000002
【実用新案登録請求の範囲】
【請求項１】
本考案の銃器のオプション品取り付け装置は、微調節装置、位置決め棒、嵌合体、ロック装置、弾性圧力片、固定栓から構成され、該取り付け装置は、該位置決め棒内に貫通孔を設け、その周辺に戦術的オプション装備を取り付けるためのネジ孔を形成し、位置決め棒に平行したバネ孔を穿設し、該貫通孔に接続棒を挿通し、その接続棒の後端に固定栓を以てロック装置と該弾性圧力片を連結した状態で配し、前記バネ孔にはバネを収容し、該接続棒の前端にネジを設け、該ネジをネジ孔を設けた嵌合体のネジ孔に微調節装置を螺合したことを特徴とする銃器のオプション品取り付け装置。
【考案の詳細な説明】
【技術分野】
【０００１】
本考案は銃器のオプション品取り付け装置に関し、詳細には、銃器の使用中において狙撃スコープや接眼レンズ、レッドドットスコープ等、関連の銃器機能を強化するためのオプション品を迅速に着脱交換ができる、銃器のオプション品取り付け装置に関する。
【０００２】
本考案の銃器のオプション品取り付け装置は、取り付け装置上に嵌合体を設け、銃身の照準スコープ座体と取り付け装置間で迅速に戦術的オプション装備を着脱交換することができ、且つ、この取り付け装置上に位置決め棒を設置し、取り付け装置を確実且つしっかりと照準スコープ座体上に固定できることを特徴とする。
【０００３】
本考案の取り付け装置はさらに貫通孔を備え、微調節装置及びロック装置間に接続棒を貫通させて連結し、且つ、この接続棒の前端にネジを設け、微調節装置を螺合して設置し、この接続棒の後端にロック装置を設置し、このロック装置内にさらに弾性圧力片を設け、この接続棒と弾性圧力片及びロック装置は固定栓を用いて連結され、使用者の運動時には異なる角度方向へ使用者の必要な位置に変えることができる。
【背景技術】
【０００４】
一般的な従来の銃器オプション品取り付け装置は、図１に示すように、取り付け装置Ａが固定板Ａ１、固定ネジＡ２、嵌合座体Ａ３、回転つまみＡ４から構成され、そのうち、この取り付け装置Ａ上に嵌合座体Ａ３が設置され、且つ、この嵌合座体Ａ３上にさらに回転つまみＡ４が設置され、この回転つまみA４により取り付け装置Ａを銃身上の照準スコープ座体Ｅに合わせてきつさの調整を行い、取り付け装置Ａと銃身上の照準スコープ座体Ｅの両者間を相互に嵌合して設置する。この取り付け装置Ａ上にはさらに固定板Ａ１が設置され、この固定板Ａ１に銃器機能を強化するための戦術的オプション装備Ｆが取り付けられる。
【０００５】
そのうち、この取り付け装置Ａ上の固定板Ａ１は、固定ネジＡ２を利用して戦術的オプション装備Ｆを取り付け装置Ａ上に固定するため、使用者の運動時において、迅速に戦術的オプション装備Fを着脱交換することができず、利便性と時効性に欠ける状況が発生する。このため、上述の欠点をいかに取り除くかが、本考案が解決する技術的困難点である。
【考案の開示】
【考案が解決しようとする課題】
【０００６】
本考案の目的は、オプション品をしっかりと装着でき、且つ、時効性があり、迅速な着脱交換が可能な、銃器のオプション品取り付け装置を提供することにある。
【課題を解決するための手段】
【０００７】
本考案の銃器のオプション品取り付け装置は、微調節装置、位置決め棒、嵌合体、ロック装置、弾性圧力片、固定栓から構成される取り付け装置を含み、該取り付け装置上に該位置決め棒を設置し、且つ、該位置決め棒内に貫通孔を設け、その周辺に戦術的オプション装備を取り付けるためのネジ孔を形成し、該貫通孔に接続棒を穿置して該ロック装置と該弾性圧力片を連結し、該取り付け装置を銃身の照準スコープ座体に嵌設して迅速に戦術的オプション装備を着脱交換することができると共に、該接続棒の前端にネジを設け、後端には固定孔を形成し、該ネジに微調節装置を螺合し、該微調節装置で取り付け装置を調節し、該取り付け装置と銃身の照準スコープ座体間のきつさを調節でき、該接続棒後端の固定孔に固定栓を穿置して該ロック装置と該弾性圧力片を固定し、且つ、該弾性圧力片を内方向へ押すと、使用者の必要に応じ、使用者が必要とする方向に変更することができることを特徴とする。
【考案の効果】
【０００８】
本考案の進歩性と実用性をよりはっきりと示すため、以下、従来品と比較して分析する。
《従来品の欠点》
一、オプション品を迅速に着脱できない。
二、長期間使用すると、ゆるみが生じやすい。
三、着脱時に工具が必要であり、動作が複雑で時間がかかる。
《本考案の利点》
一、位置決め棒はオプション品がゆるんで滑落するのを防ぐ効果を備えている。
二、時効性があり、迅速な着脱交換が可能である。
三、取り付け装置は銃器上のあらゆる角度方向に適用できる。
四、進歩性と実用性を備えている。
五、産業的競争力を向上できる。
【考案を実施するための最良の形態】
【０００９】
以下、本考案について具体的な実施例と図面に基づき、詳細に説明する。
【００１０】
本考案が提供する銃器のオプション品取り付け装置は、図２及び図２−１に示すように、取り付け装置Ｂが微調節装置Ｂ１、位置決め棒Ｂ２、嵌合体Ｂ３、ロック装置Ｂ４、弾性圧力片Ｂ５、固定栓Ｂ６から構成される。
【００１１】
そのうち、取り付け装置Ｂはバネ孔Ｂ７を備え、且つ、その内部にバネＣ１が設置され、これをネジ孔を設けた嵌合体Ｂ３上の突起柱Ｄと微調節装置Ｂ１に合わせ、取り付け装置Ｂを銃身の照準スコープ座体Ｅに嵌設すると、調整取り付け装置Ｂと銃身の照準スコープ座体Ｅ間のきつさを調整することができる。
【００１２】
位置決め棒Ｂ２内に貫通孔Ｂ９を設け、接続棒Ｃを穿設してロック装置Ｂ４と弾性圧力片Ｂ５とを連結し、その周辺にオプション品を固定するためのネジ孔Ｂ８を設け、戦術的オプション装備Ｆを取り付け装置Ｂに連結し、且つ、取り付け装置Ｂを銃身の照準スコープ座体Ｅに嵌設すると、迅速に戦術的オプション装備Fを設置でき、その着脱交換も素早く行うことができる。
【００１３】
さらに、接続棒Ｃの前端にネジＣ２を設け、後端に固定孔Ｃ３を形成し、ネジＣ２を微調節装置Ｂ１に螺合することで、微調節装置Ｂ１で取り付け装置Ｂを調節して取り付け装置Ｂと銃身の照準スコープ座体Ｅ間のきつさを調節することができ、且つ、接続棒Ｃ後端の固定孔Ｃ３に固定栓Ｂ６を穿置してロック装置Ｂ４と弾性圧力片Ｂ５を固定し、弾性圧力片Ｂ５を内方向へ圧迫すると、使用者の必要に応じ使用者が必要とする方向へ変換することができる。
【００１４】
さらに、弾性圧力片Ｂ５に突起柱Ｄを設置し、この突起柱Ｄ内にバネＣ１を設け、使用者が弾性圧力片Ｂ５を内方向へ押して使用者の必要な方向にその方向を固定した後、取り付け装置Ｂを銃身の照準スコープ座体Ｅに固定して微調節装置Ｂ１を調節し、取り付け装置Ｂをよりしっかりと銃器上に固定させることができる。
【００１５】
本考案の実施においては、図３、図３−１、図４に示すように、取り付け装置Ｂを銃身の照準スコープ座体Ｅに嵌設するとき、ロック装置Ｂ４、微調節装置Ｂ１及び位置決め棒Ｂ２により、取り付け装置Ｂとロック装置Ｂ４を銃身の照準スコープ座体Ｅに対し垂直に置き、取り付け装置Ｂ上の位置決め棒Ｂ２を銃身の照準スコープ座体Ｅ上の固定したい位置に嵌合し、さらに弾性圧力片Ｂ５を内方向へ押してロック装置Ｂ４で使用者が必要とする位置に取り付け装置Ｂをロックし、微調節装置Ｂ１を用いて取り付け装置Ｂのきつさを調節する。
【００１６】
このロック装置Ｂ４は、弾性圧力片Ｂ５を利用してそのロック方向を固定し、微調節装置Ｂ１で取り付け装置Ｂのきつさを調節し、ネジ孔を設けた嵌合体Ｂ３が銃身の照準スコープ座体Ｅにより確実かつ緊密に嵌合される。これにより、使用者の運動中において、戦術的オプション装備Ｆが滑落することなく、戦術的オプション装備Ｆをその使用時により精確に運用することができる。
【００１７】
図５に示すように、使用者が戦術的オプション装備Ｆを取り付け装置Ｂに設置するときは、予め固定ネジ孔を戦術的オプション装備Ｆ上に設け、固定ネジをこの固定ネジ孔と取り付け装置Ｂ上のネジ孔に螺合することで、使用者が異なる機能の戦術的オプション装備Ｆを取り付けることができる。
【００１８】
且つ、取り付け装置Ｂを照準スコープ座体Ｅに嵌設した後、ロック装置Ｂ４で銃身の照準スコープ座体Ｅ上にロックする。 
【００１９】
使用者がロック方向を変えたい場合、弾性圧力片Ｂ５を内方向へ押し、使用者の必要に応じて異なる方向角度で取り付け装置Ｂをロックするだけでよく、使用者の運動時において戦術的オプション装備Ｆの取り付け時間を短縮することができる。
【００２０】
図６に示すように、この取り付け装置Ｂは銃身の照準スコープ座体Ｅに合わせ、異なる長さの戦術的オプション装備Ｆを装着することができ、比較的長い戦術的オプション装備Ｆを装着する場合は、取り付け装置Ｂを１つ増加することもでき、取り付け装置Ｂは異なる戦術的オプション装備Ｆに合わせて使用でき、使用者の運動中における必要性に対応することができる。
【００２１】
この取り付け装置Ｂを銃身の照準スコープ座体Ｅに組み合わせて使用する際、取り付け装置Ｂは銃身の左側及び右側等各種の異なる方向に装着でき、使用者が異なる長さの戦術的オプション装備Ｆを着脱できる。
【００２２】
以上で述べた説明は、本考案の最良の実施例に基づくものであり、本考案の権利範囲を制限するものではなく、本考案の明細書及び図面の内容を利用した同等効果を得る構造を直接的または間接的にその他関連技術領域に運用した場合もすべて本考案の要旨の範囲内に含まれるものとみなす。
【００２３】
上述のように、本考案は先行技術を打破する構造の下、確実に求める効果を達することができる。また、この技術を熟知した者でなくとも容易に理解することができ、さらに、本考案はこれまで公開されたことがなく、その進歩性と実用性は実用新案登録の出願要件を満たしており、法に基づきここに実用新案登録を出願するものである。
【図面の簡単な説明】
【００２４】
【図１】従来品の立体図である。
【図２】本考案の立体図である。
【図２−１】本考案の立体分解図である。
【図３】本考案の装着動作を示す立体図である。
【図３−１】本考案の装着後の状態を示す立体図である。
【図４】本考案の立体断面図である。
【図５】本考案にオプション品を取り付けた状態を示す立体図である。
【図６】本考案に長いオプション品を取り付けた状態を示す立体図である。
【符号の説明】
【００２５】
A        取り付け装置
A１      固定板
Ａ２      固定ネジ 
Ａ３      嵌合座体
Ａ４      回転つまみ
B        取り付け装置
Ｂ１      微調節装置
Ｂ２      位置決め棒
Ｂ３      嵌合体
Ｂ４      ロック装置
Ｂ５      弾性圧力片
Ｂ６      固定栓
Ｂ７      バネ孔
Ｂ８      ネジ孔
Ｂ９      貫通孔 
Ｃ        接続棒
Ｃ１      バネ
Ｃ２      ネジ
Ｃ３      固定孔
Ｄ        突起柱
Ｅ        照準スコープ座体
F        戦術的オプション装備
【図１】
0003111868.tif 000003
【図２】
0003111868.tif 000004
【図２−１】
0003111868.tif 000005
【図３】
0003111868.tif 000006
【図３−１】
0003111868.tif 000007
【図４】
0003111868.tif 000008
【図５】
0003111868.tif 000009
【図６】
0003111868.tif 000010